(57)【要約】【課題】  磁気テープの湾曲極性に応じてテープリールに巻き取られる磁気テープの位置を制御することで磁気テープの巻姿を改善することができる磁気テープの巻取方法及び磁気テープの巻取装置を提供する。【解決手段】  磁気テープＴの長手方向において湾曲極性が反転している位置Ｐを測定し、磁気テープＴをテープ巻取部１３にテープガイド部１２で案内するとともに、測定された湾曲極性が反転している位置Ｐでテープガイド部１２を磁気テープＴの幅方向に駆動し、テープ巻取部１３に巻き取られる磁気テープＴの位置が一定になるように制御する。【選択図】  図１
2005302170.tif 000002
【特許請求の範囲】
【請求項１】
磁気テープをテープ巻取部に巻き取る磁気テープの巻取方法であって、
前記磁気テープの長手方向において湾曲極性が反転している位置を測定し、前記磁気テープを前記テープ巻取部にテープガイド部で案内するとともに、測定された前記湾曲極性が反転している位置で前記テープガイド部を前記磁気テープの幅方向に駆動し、前記テープ巻取部に巻き取られる前記磁気テープの位置が一定になるように制御することを特徴とする磁気テープの巻取方法。
【請求項２】
磁気テープを巻き取り可能なテープ巻取部と、
前記磁気テープの巻き取り時に、該磁気テープを前記テープ巻取部へ案内するテープガイド部とを備え、
予め測定された前記磁気テープの長手方向における湾曲極性が反転している位置で、前記テープガイド部を前記磁気テープの幅方向に駆動し、前記テープ巻取部に巻き取られる前記磁気テープの位置が一定になるように制御する制御部が設けられていることを特徴とする磁気テープの巻取装置。
【発明の詳細な説明】
【技術分野】
【０００１】
本発明は、磁気テープの巻取方法及び磁気テープの巻取装置に関し、特に、磁気テープの巻姿を改善する磁気テープの巻取方法及び磁気テープの巻取装置に関する。
【背景技術】
【０００２】
従来、磁気テープドライブのテープリール及びカートリッジリールにおいて磁気テープの巻姿が劣化すると、磁気テープを走行させて磁気記録ヘッドを通過する際に、磁気テープが幅方向に移動してしまうことや、磁気テープの巻姿が劣化している箇所においてテープエッジに損傷が生じることがある。すると、磁気テープと磁気記録ヘッドとが安定して摺動することができなくなり、磁気テープに対する信号の書き込みに大きな影響を及ぼすことがある。
【０００３】
このような磁気テープの巻姿が劣化する原因として、磁気テープの長手方向に生じる湾曲がある。そこで、従来では、下記特許文献１に記載するように、磁気テープの湾曲度を測定し、湾曲が所定の範囲に留められた磁気テープを得ていた。
【０００４】
【特許文献１】特開平９−２６５６２５号公報
【発明の開示】
【発明が解決しようとする課題】
【０００５】
ところで、上記のような磁気テープに生じる湾曲は、テープ幅方向の一方へ歪む湾曲と、他方へ歪む湾曲とがある。これら湾曲の向きの一方を正とし、且つ、他方を負とすることで磁気テープにおける湾曲の向きを湾曲極性として捉えた場合に、磁気テープには湾曲極性が反転するもの、つまり、湾曲の向きが長手方向で反対向きに変わるものがある。このような磁気テープを巻き取る際には、湾曲極性の反転した部位において磁気テープとテープリールとの接触状態が変化して磁気テープの巻姿が乱れてしまうことがある。
【０００６】
本発明は、上記事情に鑑みてなされたもので、その目的は、磁気テープの湾曲極性に応じてテープリールに巻き取られる磁気テープの位置を制御することで磁気テープの巻姿を改善することができる磁気テープの巻取方法及び磁気テープの巻取装置を提供することにある。
【課題を解決するための手段】
【０００７】
本発明の上記目的は、磁気テープをテープ巻取部に巻き取る磁気テープの巻取方法であって、磁気テープの長手方向において湾曲極性が反転している位置を測定し、磁気テープをテープ巻取部にテープガイド部で案内するとともに、測定された湾曲極性が反転している位置でテープガイド部を磁気テープの幅方向に駆動し、テープ巻取部に巻き取られる磁気テープの位置が一定になるように制御することを特徴とする磁気テープの巻取方法によって達成される。
【０００８】
上記の磁気テープの巻取方法は、湾曲極性が反転している位置で磁気テープを幅方向に駆動することで、テープ巻取部に巻き取られた際の磁気テープの位置が一定になるように維持することができ、磁気テープの巻姿が劣化することを防止することができる。このため、磁気テープの記録再生時に、走行する磁気テープとヘッドとの位置がずれることなく、情報を確実に書き込むことができる。
【０００９】
また、本発明の上記目的は、磁気テープを巻き取り可能なテープ巻取部と、磁気テープの巻き取り時に、該磁気テープをテープ巻取部へ案内するテープガイド部とを備え、予め測定された磁気テープの長手方向における湾曲極性が反転している位置でテープガイド部を磁気テープの幅方向に駆動し、テープ巻取部に巻き取られる磁気テープの位置が一定になるように制御する制御部が設けられていることを特徴とする磁気テープの巻取装置によって達成される。
【００１０】
上記の磁気テープの巻取装置は、制御部によって、湾曲極性が反転している位置においてテープガイド部を磁気テープの幅方向に駆動し、テープ巻取部に巻き取られた際の磁気テープの位置が一定になるように維持することができ、この結果、磁気テープの巻姿が劣化することを防止することができる。このため、磁気テープの記録再生時に、走行する磁気テープとヘッドとの位置がずれることなく、磁気テープに情報を確実に書き込むことができる、良好な巻姿の磁気テープを得ることができる。
【発明の効果】
【００１１】
本発明によれば、磁気テープの巻姿を改善することができる磁気テープの巻取方法及び磁気テープの巻取装置を提供できる。
【発明を実施するための最良の形態】
【００１２】
以下、本発明の実施形態を図面に基づいて詳しく説明する。
図１は、本発明に係る磁気テープの巻取装置の一実施形態を説明する構成図である。
図１に示すように、巻取装置１０は、磁気テープＴが巻装されてなるテープ巻体１１と、磁気テープＴを巻き取るテープ巻取部１３とを備え、磁気テープＴが、テープ巻体１１から送り出されて図１に矢印で示す方向に沿って搬送され、テープ巻取部１３に巻き取られる構成である。
【００１３】
磁気テープＴをテープ巻取部１３へ案内するテープガイド部１２が該テープ巻取部の直前に設けられている。テープガイド部１２は、円筒形状のローラ部を備え、その周面の一部に磁気テープＴが接触するように配置され、磁気テープＴが搬送経路に沿って走行する際に周方向に回転可能な状態で支持されている。
【００１４】
テープガイド部１２は、ローラ部の回転軸方向端部に取り付けられたアクチュエータ１４を備えている。アクチュエータ１４は、後述する制御部２０に電気的に接続され、この制御部２０からの信号に応じてテープガイド部１２を回転軸方向に駆動し、テープガイド部１２に摺動しつつ走行する磁気テープＴの幅方向位置を調整することができる。
【００１５】
また、搬送経路には、通過した磁気テープＴの長手方向の距離を計測する検尺機２５が設けられている。検尺機２５は、磁気テープＴの走行時に通過した磁気テープＴの長手方向の距離を測定し、この距離の情報を出力することができる。
【００１６】
巻取装置１０には、アクチュエータ１４を制御してテープガイド部１２を駆動させることができる制御部２０が設けられている。制御部２０には、予め測定された磁気テープＴの長手方向における湾曲極性に関するデータが入力され、これらデータを保存するメモリ２４と、このメモリ２４から磁気テープＴの湾曲極性に関する情報と、検尺機２５から通過した磁気テープＴの長手方向の距離に関する情報を読み出し、アクチュエータ１４を駆動させる時間と駆動させる量と駆動信号として出力する処理部２３とが設けられている。また、制御部２０には、処理部２３から出力された駆動信号をデジタル値からアナログ値に変換するＤ／Ａ変換部２２と、Ｄ／Ａ変換部２２から出力されたアナログ信号を増幅してアクチュエータ１４に出力する増幅器２１とが設けられている。
【００１７】
次に、磁気テープの湾曲極性を測定する手段について説明する。
図２は、磁気テープの湾曲測定装置を説明する構成図である。磁気テープの湾曲測定装置（以下、測定装置ともいう。）３０は、磁気テープＴを従動軸３８ａに回動可能に支持されたパンケーキ３１から主軸３８ｂに回動可能に支持されたリール３２に巻き取りつつ、測定領域に磁気テープＴを走行させて湾曲を測定する構成である。
【００１８】
測定装置３０には、パンケーキ３１とリール３２との間において搬送される磁気テープＴを案内する複数のガイドローラ３６と、搬送される磁気テープＴを支持する吸着ステージ３９とが設けられている。吸着ステージ３９は、磁気テープＴと摺接する支持面３９ａを有し、磁気テープＴと支持面３９ａとの間の空気を吸引し、磁気テープＴを支持面３９ａに吸着保持することができる。
【００１９】
測定装置３０は光学式位置検出手段３３を備え、光学式位置検出手段３３が吸着ステージ３９の支持面３９ａに支持された磁気テープＴの長手方向の湾曲を測定する構成である。具体的に、光学式位置検出手段３３は、リニアステージ３４と、該リニアステージ３４を所定の直線方向（矢印Ｌで示す方向）に可動自在な状態で保持する駆動軸３５とを備えている。駆動軸３５は、リニアステージ３４が支持面３９ａ上に支持された磁気テープＴの一端から他端までを結ぶ直線上を移動するように配置されている。
【００２０】
また、リニアステージ３４の下方には光源３７が設けられ、光源３７が吸着ステージ３９の支持面３９ａに対して反対側の面に光を照射し、吸着ステージ３９を介して光学式位置検出手段３３へ光を照射する。
【００２１】
図３は、リニアステージを下方側（図２において吸着ステージ側）から見た状態を示す図である。図３に示すように、リニアステージ３４の吸着ステージ３９側の面（以下、下面という。）には、リニアステージ３４の駆動方向Ｌに対して垂直方向に、且つ、吸着ステージ３９の支持面３９ａに平行に配列された受光部３４ａが設けられている。
【００２２】
図３及び図４に示すように、測定装置３０は、磁気テープＴの測定時にリニアステージ３４を駆動軸３５に対して相対移動させることで受光部３４ａが吸着ステージ３９（テープ支持部材）に支持された磁気テープＴに沿って上方を移動する。そして、光源３７から発せられた光の一部が磁気テープＴにさえぎられ、該磁気テープＴにさえぎられることなく受光部３４ａに到達した光が検出される。磁気テープＴが長手方向に対して湾曲するに伴い、光源３７から発せられた光のさえぎられる位置が変わるとともに、受光部３４ａに到達する受光領域も幅方向に変位するようになる。すると、磁気テープＴの一部が変形して幅方向へ湾曲しているときには、その湾曲している箇所において受光部３４ａが検出する光源３７からの光が増加又は減少する。このとき、受光部３４ａによって検出される光量によって磁気テープＴの湾曲する向き（湾曲極性）とその湾曲の大きさを測定することができる。
【００２３】
図４は、磁気テープの一部において湾曲を測定した状態を説明する図である。本実施形態においては、図２に示す測定装置３０を用いて磁気テープＴを長手方向１００ｃｍを一回の湾曲測定の対象となる測定領域とし、磁気テープＴ全長に渡って湾曲を測定する。具体的には、磁気テープＴの各測定領域ごとに磁気テープの長手方向（図２において左右の方向）において等間隔に設定された４０個の部位毎に基準線Ｂに対する磁気テープＴの幅方向のずれを検出する。そして、これら４０個の部位のうち磁気テープＴの幅方向のずれが最大となる検出点を各測定領域毎に湾曲値として検出し、磁気テープＴ全長に対するこれら湾曲値の変位に基づいて磁気テープＴの湾曲極性を測定する。なお、図４において、ｄＬは、測定領域における検出点同士の間隔を示し、間隔ｄＬは１００ｃｍ／検出点の総数Ｎ（本実施形態では４０個）で得ることができる。
【００２４】
図５は、磁気テープの長手方向位置に対する湾曲値の変位を示すグラフである。図５において、グラフの横軸は磁気テープＴの長手方向の位置（テープ長（単位メートル））を示し、縦軸は磁気テープＴの長手方向の位置に対する湾曲値（単位ミリメートル）を示している。また、グラフの縦軸において、０より大きい正の値と０より小さい負の値はそれぞれ磁気テープＴの湾曲極性を示している。図５に示すように、磁気テープＴのテープ長が１メートルから８００１メートルの範囲において、湾曲値が全て負の値をとっていることから明らかなように同じ方向に湾曲しているが、テープ長が８００１メートルを越えたあたりで湾曲値が負から正の値に変位している位置、つまり、湾曲極性が反転している位置Ｐがある。本実施形態では、磁気テープＴの湾曲極性が反転している位置Ｐを測定し、この位置Ｐに関する情報を上記制御部２０のメモリ２４に入力する。
【００２５】
次に、本実施形態の磁気テープの巻取方法の手順を説明する。
先ず、図３で示す測定装置３０によって磁気テープＴの湾曲極性が反転している位置Ｐを測定し、図１に示す巻取装置１０のメモリ２４に入力する。その後、磁気テープＴをテープ巻取部１３によって磁気テープＴの巻き取りを開始する。
【００２６】
磁気テープＴを搬送している状態で、検尺機２５によってテープ巻体１１からテープ巻取部１３に向って通過する磁気テープＴの長手方向の距離を測定する。制御部２０の処理部２３は、検尺機２５から読み込んだ磁気テープＴの長手方向の距離に基づいて、予めメモリ２４から読み込んだ湾曲極性が反転している位置Ｐがテープガイド部１２近傍に到達していることを判別し、アクチュエータ１４に駆動信号を出力する。このとき、アクチュエータ１４を駆動させる量は、磁気テープＴが湾曲極性が反転している位置Ｐにおいて湾曲している度合に応じて決定される。
【００２７】
アクチュエータ１４を駆動させることで、テープガイド部に摺接しつつ走行する磁気テープＴの幅方向における位置を調整することができる。そして、制御部２０は、磁気テープＴの幅方向における位置を調整しつつテープ巻取部１３に巻き取ることで、該テープ巻取部１３に巻き取られる磁気テープＴの位置が一定になるように制御することができる。
【００２８】
図６及び図７を参照してテープガイド部を駆動させる向きについて説明する。
図６（ａ）は、磁気テープの湾曲極性が負から正に反転している状態を示すグラフである。図６（ｂ）は、図６（ａ）に示す磁気テープにおいて湾曲極性が反転している位置でテープガイド部を駆動する方向を示す図である。図７（ａ）は、磁気テープの湾曲極性が正から負に反転している状態を示すグラフである。図７（ｂ）は、図７（ａ）に示す磁気テープにおいて湾曲極性が反転している位置でテープガイド部を駆動する方向を示す図である。
【００２９】
図６（ａ）及び図６（ｂ）に示すように、磁気テープＴの湾曲極性が負から正に反転しているときには、反転している位置Ｐがテープガイド部１２に到達又は所定範囲内に近づいた時点でテープガイド部１２を磁気テープＴの幅方向に駆動して、該テープガイド部１２を走行する磁気テープＴを負の極性側に駆動する。
【００３０】
一方、図７（ａ）及び図７（ｂ）に示すように、磁気テープＴの湾曲極性が正から負に反転しているときには、反転している位置Ｐがテープガイド部１２に到達又は所定範囲内に近づいた時点でテープガイド部１２を磁気テープＴの幅方向に駆動して、該テープガイド部１２を走行する磁気テープＴを正の極性側に駆動する。言い換えると、テープガイド部１２を駆動することで湾曲極性の反転する部分をなくし、全長において湾曲極性を同一にした状態で磁気テープＴをテープ巻取部１３に巻き取る。
【００３１】
本実施形態の磁気テープの巻取方法によれば、湾曲極性が反転している位置Ｐで磁気テープＴを幅方向に駆動することで、テープ巻取部１３に巻き取られた際の磁気テープＴの位置が一定になるように維持することができるため、磁気テープＴの巻姿が劣化することを防止することができる。こうして、磁気テープの記録再生時に、走行する磁気テープＴと記録装置側のヘッドとの位置がずれることなく、情報を確実に書き込むことができる。
【００３２】
また、図１に示すように、本実施形態の磁気テープの巻取装置１０は、制御部２０によって、湾曲極性が反転している位置においてテープガイド部１２を磁気テープＴの幅方向に駆動し、テープ巻取部１３に巻き取られた際の磁気テープＴの位置が一定になるように維持することができ、この結果、磁気テープＴの巻姿が劣化することを防止することができる。したがって、磁気テープＴの記録再生時に、走行する磁気テープＴとヘッドとの位置がずれることなく、磁気テープＴに情報を確実に書き込むことができる、巻姿が良好な磁気テープを得ることができる。
【図面の簡単な説明】
【００３３】
【図１】本発明に係る磁気テープの巻取装置の一実施形態を説明する構成図である。
【図２】磁気テープの湾曲測定装置を説明する構成図である。
【図３】リニアステージを下方側から見た状態を示す図である。
【図４】磁気テープの一部において湾曲値を測定した状態を説明する図である。
【図５】磁気テープの長手方向位置に対する湾曲値の変位を示すグラフである。
【図６】（ａ）  磁気テープＴの湾曲極性が負から正に反転している状態を示すグラフである。  （ｂ）  図６（ａ）に示す磁気テープＴにおいて湾曲極性が反転している位置でテープガイド部を駆動する方向を示す図である。
【図７】（ａ）  磁気テープＴの湾曲極性が正から負に反転している状態を示すグラフである。  （ｂ）  図７（ａ）に示す磁気テープＴにおいて湾曲極性が反転している位置でテープガイド部を駆動する方向を示す図である。
【符号の説明】
【００３４】
１０    磁気テープの巻取装置
１１    テープ巻体
１２    テープガイド部
１３    テープ巻取部
１４    アクチュエータ
２０    制御部
２５    検尺機
Ｔ      磁気テープ
【図１】
2005302170.tif 000003
【図２】
2005302170.tif 000004
【図３】
2005302170.tif 000005
【図４】
2005302170.tif 000006
【図５】
2005302170.tif 000007
【図６】
2005302170.tif 000008
【図７】
2005302170.tif 000009